(57)【特許請求の範囲】
【請求項１】
必要に応じて熱源機で温度調整した熱媒体を端末機に供給して熱交換動作を行うようにした空調システムであって、
前記熱源機は、動作確認信号を端末機側へ出力するとともに、端末機側からの前記動作確認信号の帰還入力の有無に基づいて端末機側における熱媒体の要否を認識する他、異常が発生したときに前記動作確認信号を整形して異常報知信号として端末機側へ出力するものであり、
前記端末機は、前記熱交換動作を行う場合に前記熱源機から入力される動作確認信号を前記熱源機に対して帰還させる状態とする一方で、前記熱交換動作を行わない場合に前記動作確認信号を帰還させない状態とする他、前記熱源機側から異常報知信号が入力されたときに、熱交換動作を停止するものである、ことを特徴とする空調システム。
【請求項２】
必要に応じて熱源機で温度調整した熱媒体を端末機に供給して熱交換動作を行うようにした空調システムであって、
前記熱源機には、少なくとも２つの入出力ポートと、出力ポートから端末機側での熱媒体の要否判定に用いるための動作確認信号を出力する信号出力要素と、入力ポートに対して前記出力した動作確認信号が端末機側から帰還入力されたか否かを判定する判定要素と、必要に応じて前記送信要素から出力される動作確認信号を異常報知信号に整形する信号整形要素と、前記信号出力要素および前記信号整形要素の動作を制御する他、前記判定要素の判定結果に基づいて端末機側での熱媒体の要否を認識する管理要素とを有し、
前記端末機には、前記熱源機の入出力ポートに対して少なくとも２本の信号線を介して接続される少なくとも２つの入出力ポートと、この入力ポートと出力ポートとを接続する帰還ループと、帰還ループにおける信号通過を許容する状態と遮断する状態とに切り換える状態切替要素と、前記帰還ループを通過する信号を取り出す信号抽出要素と、熱交換動作の要否に応じて前記状態切替要素を制御する他、前記信号抽出要素の出力に基づいて熱源機側の異常の有無を認識して熱交換動作を停止する管理要素とを有している、ことを特徴とする空調システム。
【請求項３】
請求項２の空調システムにおいて、
前記端末機側の管理要素は、熱源機側に異常が発生したことを認識したとき、異常報知手段を駆動するものである、ことを特徴とする空調システム。
【請求項４】
請求項２または３の空調システムにおいて、
前記信号整形要素は、動作確認信号を異常報知信号に整形するにあたって、熱源機に発生する種々な異常の形態別に対応づけた異常報知信号とするものである、ことを特徴とする空調システム。
【発明の詳細な説明】
【０００１】
【発明の属する技術分野】
本発明は、熱源機により温度調整する熱媒体を利用して１つまたは複数の端末機により熱交換動作を行うようにした空調システムに関する。
【０００２】
【従来の技術】
従来のこの種の空調システムの一例を図６に示す。図では、説明の簡略化のために熱源機１に対して単一の端末機２を取り付けた例を挙げている。
【０００３】
熱源機１は、例えば屋外に設置される湯沸かし器などの暖房熱源機とされ、ガスバーナなどの燃焼装置２１と、熱交換器２２と、膨張タンク２３と、循環ポンプ２４と、監視部２５と、制御装置２６とを少なくとも有している。
【０００４】
端末機２は、例えば室内に設置される浴室乾燥機や居室などに設置されるファンヒータや床暖房パネルなどの温水式暖房機器とされており、熱交換器４１と、ファン４２と、操作装置４３と、表示装置４４と、提示部４５と、制御装置４６とを少なくとも有している。
【０００５】
これら熱源機１の熱交換器２２と端末機２の熱交換器４１とは、２本の連結管３を介して連通連結されており、熱源機１により温度調整された熱媒体としての温水が、熱源機１の循環ポンプ２４により、熱源機１の熱交換器２２から端末機２の熱交換器４１側に供給されて、端末機２の熱交換器４１側から熱源機１の熱交換器２２側に還流される形態で循環されるようになっている。
【０００６】
なお、循環流動される温水の蒸発作用により膨張タンク２３内の湯水が減少するので、膨張タンク２３には、水位センサ２７が取り付けられており、この水位センサ２７により膨張タンク２３の渇水状態を検知したときにユーザーに対して補給を促すようになっている。
【０００７】
そして、この空調システムでは、熱源機１の監視部２５で端末機２の提示部４５における温水要求の有無を監視するようになっており、端末機２側で温水要求が有る場合に、熱源機１側から所要温度の温水を端末機２側へ供給するようになっている。
【０００８】
ここで、前述した熱源機１の監視部２５ならびに端末機２の提示部４５について説明する。
【０００９】
まず、熱源機１の監視部２５と端末機２の提示部４５とには、それぞれ２つ１組の入出力ポート３０Ａ，３０Ｂ、５０Ａ，５０Ｂが設けられており、これら２組の入出力ポートは、２本のＥ−ＣＯＮ信号線と呼ばれる端末制御線４Ａ，４Ｂで接続されている。
【００１０】
また、監視部２５は、出力ポート３０Ｂに対して一定電位の動作確認信号を出力する電源３１と、入力ポート３０Ａに対して端末機２の提示部４５側から動作確認信号が帰還入力されたか否かを認識して熱源側の制御装置２６に入力するコンパレータ３２とを有している。
【００１１】
また、提示部４５は、入力ポート５０Ａと出力ポート５０Ｂとを接続する帰還ループ５１と、この帰還ループ５１の途中に設けられて端末側の制御装置４６により開閉制御される開閉スイッチ５２とを有している。例えば、この開閉スイッチ５２は、ノーマリオープンタイプとされており、温水不要時に開放状態とされ、温水必要時に閉止状態とされる。
【００１２】
次に、動作について説明する。
【００１３】
例えば、端末機２側において操作装置４３の暖房運転スイッチ（図示省略）がオン操作されると、制御装置４６が表示装置４４の運転ランプ（図示省略）を点灯するとともに、開閉スイッチ５２を閉止することにより、熱源機１側に温水供給が必要なことを提示する。
【００１４】
この開閉スイッチ５２が閉止状態とされることによって、熱源機１の監視部２５における電源３１から出力ポート３０Ｂを通じて端末機２の提示部４５に出力している一定電位の動作確認用の信号は、端末機２側の出力ポート５０Ａから端末制御線４Ｂを介して熱源機１側の入力ポート３０Ａのコンパレータ３２の一方入力端子に対して帰還入力されることになる。
【００１５】
これにより、熱源側の制御装置２６がコンパレータ３２の出力に基づいて端末機２側で温水供給が必要であると認識し、循環ポンプ２４および燃焼装置２１を駆動して所要温度（例えば８０℃）の温水を端末機２側へ連結管３を介して供給する。この温水供給を受けた端末機２側では、熱交換器４１により温水の熱を利用して暖房動作を行うことになる。
【００１６】
一方、端末機２側において操作装置４３の暖房運転スイッチ（図示省略）がオフ操作されると、制御装置４６が表示装置４４の運転ランプ（図示省略）を消灯するとともに、開閉スイッチ５２を開放することにより、熱源機１側に温水供給が不要なことを提示する。
【００１７】
この端末機２側の開閉スイッチ５２が開放状態とされることによって、熱源機１の監視部２５における電源３１から出力ポート３０Ｂを通じて端末機２側に出力している動作確認信号は、端末機２側の出力ポート５０Ａから端末制御線４Ｂを介して熱源機１側のコンパレータ３２の一方入力端子に対して帰還入力されなくなる。
【００１８】
そのため、熱源側の制御装置２６がコンパレータ３２の出力に基づいて端末機２側で温水供給が不要であると認識し、燃焼装置２１の駆動を停止する。これにより、端末機２側では、暖房動作を停止することになる。
【００１９】
【発明が解決しようとする課題】
上記従来例では、熱源機１の監視部２５において端末機２の提示部４５における温水供給の要否を認識するようになっているだけであり、熱源側の制御装置２６と端末側の制御装置４６との間で種々な情報通信を行えるようにしていないから、万一、熱源機１側で異常が発生したとしても、そのことを端末機２側に通達できない。
【００２０】
例えば、熱源機１側では、膨張タンク２３が渇水状態になったときに、人手により補給するようになっているが、この補給がされない異常事態が発生した場合には、熱源機１が端末機２側から温水供給の要求を受けても、熱源機１側から必要十分な温水を供給することができない。そのため、端末機２が暖房動作を行っていても、正常な暖房動作ができなくなり、電力が無駄に消費され続けることになる。
【００２１】
また、上述したような状況になると、ユーザーは、熱源機１側の異常に全く気付かずに、端末機２が故障したと勘違いするおそれがある。これに対して、ユーザーが故障修理を業者に依頼すると、業者が故障原因を調べるのに時間と労力を費やさねばなければならなくなる。
【００２２】
これに対して、熱源機１と端末機２との間で情報通信を行えるようにすれば、熱源機１の異常発生時に、そのことを端末機２に対して通達できるので、端末機２の暖房動作を停止させるように工夫することができる。しかしながら、このような対策をとるには、熱源機１と端末機２に対して高価な送受信装置を装備させる必要があり、それでは設備コストの高騰を招く結果となり、ユーザーに不利益をもたらす。
【００２３】
このような事情に鑑み、本発明では、空調システムにおいて、極力簡素な構成でもって熱源機側の異常を端末機側に通達できるようにして、設備コストの高騰を防ぎながら機能の充実化を図ることを目的としている。
【００２４】
【課題を解決するための手段】
本発明第１の空調システムは、必要に応じて熱源機で温度調整した熱媒体を端末機に供給して熱交換動作を行うようにしたもので、前記熱源機は、動作確認信号を端末機側へ出力するとともに、端末機側からの前記動作確認信号の帰還入力の有無に基づいて端末機側における熱媒体の要否を認識する他、異常が発生したときに前記動作確認信号を整形して異常報知信号として端末機側へ出力するものであり、前記端末機は、前記熱交換動作を行う場合に前記熱源機から入力される動作確認信号を前記熱源機に対して帰還させる状態とする一方で、前記熱交換動作を行わない場合に前記動作確認信号を帰還させない状態とする他、前記熱源機側から異常報知信号が入力されたときに、熱交換動作を停止するものである。
【００２５】
本発明第２の空調システムは、必要に応じて熱源機で温度調整した熱媒体を端末機に供給して熱交換動作を行うようにしたもので、前記熱源機には、少なくとも２つの入出力ポートと、出力ポートから端末機側での熱媒体の要否判定に用いるための動作確認信号を出力する信号出力要素と、入力ポートに対して前記出力した動作確認信号が端末機側から帰還入力されたか否かを判定する判定要素と、必要に応じて前記送信要素から出力される動作確認信号を異常報知信号に整形する信号整形要素と、前記信号出力要素および前記信号整形要素の動作を制御する他、前記判定要素の判定結果に基づいて端末機側での熱媒体の要否を認識する管理要素とを有し、前記端末機には、前記熱源機の入出力ポートに対して少なくとも２本の信号線を介して接続される少なくとも２つの入出力ポートと、この入力ポートと出力ポートとを接続する帰還ループと、帰還ループにおける信号通過を許容する状態と遮断する状態とに切り換える状態切替要素と、前記帰還ループを通過する信号を取り出す信号抽出要素と、熱交換動作の要否に応じて前記状態切替要素を制御する他、前記信号抽出要素の出力に基づいて熱源機側の異常の有無を認識して熱交換動作を停止する管理要素とを有している。
【００２６】
本発明第３の空調システムは、上記第２の空調システムにおいて、端末機側の管理要素を、熱源機側に異常が発生したことを認識したとき、異常報知手段を駆動するものとしている。
【００２７】
本発明第４の空調システムは、上記第２または３の空調システムにおいて、前記信号整形要素を、動作確認信号を異常報知信号に整形するにあたって、熱源機に発生する種々な異常の形態別に対応づけた異常報知信号とするものとしている。
【００２８】
要するに、本発明では、熱源機側に熱媒体不足などの異常が発生した場合に、熱源機側から端末機側に対して入力させている動作確認信号を整形して、熱源機側の異常を端末機側へ通達させて、端末機の熱交換動作を停止させるようにしている。これにより、熱媒体不足が原因で端末機側の熱交換動作が正常に行えない状態が長期的に継続されることを回避できるようになる。しかも、熱源機側から端末機側への異常通達に関し、高価な送受信装置を用いていないから、設備コストの高騰を抑制できる。
【００２９】
これに関連して、端末機側で熱源機側の異常を認識したときに、端末機側で熱源機側の異常を報知するようにしていれば、ユーザーは熱交換動作が正常に行えない原因を正確に把握できるようになる。
【００３０】
【発明の実施の形態】
本発明の詳細を図面に示す実施形態に基づいて説明する。
【００３１】
図１ないし図３に本発明の一実施形態を示している。図１は、空調システムの概略構成図、図２は、図１の要部を詳細に示す図、図３は、空調システムの動作説明に用いるタイミングチャートである。
【００３２】
この実施形態では、従来例で提示した空調システムと基本構成を同じにした空調システムを例に挙げており、図１ないし図３において従来例に係る図６と対応する部分に同一の符号を付している。
【００３３】
すなわち、図では、説明の簡略化のために熱源機１に対して単一の端末機２を取り付けた例を挙げている。
【００３４】
熱源機１は、例えば屋外に設置される湯沸かし器などの暖房熱源機とされ、ガスバーナなどの燃焼装置２１と、熱交換器２２と、膨張タンク２３と、循環ポンプ２４と、監視部２５と、制御装置２６とを少なくとも有している。
【００３５】
端末機２は、例えば室内に設置される浴室乾燥機や居室などに設置されるファンヒータや床暖房パネルなどの温水式暖房機器とされており、熱交換器４１と、ファン４２と、操作装置４３と、表示装置４４と、提示部４５と、制御装置４６とを少なくとも有している。
【００３６】
これら熱源機１の熱交換器２２と端末機２の熱交換器４１とは、２本の連結管３を介して連通連結されており、熱源機１により温度調整された熱媒体としての温水が、熱源機１の循環ポンプ２４により、熱源機１の熱交換器２２から端末機２の熱交換器４１側に供給されて、端末機２の熱交換器４１側から熱源機１の熱交換器２２側に還流される形態で循環されるようになっている。
【００３７】
なお、循環流動される温水の蒸発作用により膨張タンク２３内の湯水が減少するので、膨張タンク２３には、水位センサ２７が取り付けられており、この水位センサ２７により膨張タンク２３の渇水状態を検知したときにユーザーに対して補給を促すようになっている。
【００３８】
そして、この空調システムでは、熱源機１の監視部２５で端末機２の提示部４５における温水要求の有無を監視するようになっており、端末機２側で温水要求が有る場合に、熱源機１側から所要温度の温水を端末機２側へ供給するようになっている。
【００３９】
ここで、前述した熱源機１の監視部２５ならびに端末機２の提示部４５について説明する。
【００４０】
まず、熱源機１の監視部２５と端末機２の提示部４５とには、それぞれ２つ１組の入出力ポート３０Ａ，３０Ｂ、５０Ａ，５０Ｂが設けられており、これら２組の入出力ポートは、２本のＥ−ＣＯＮ信号線と呼ばれる端末制御線４Ａ，４Ｂで接続されている。
【００４１】
また、監視部２５は、出力ポート３０Ｂに対して一定電位の動作確認信号を出力する電源３１と、入力ポート３０Ａに対して端末機２の提示部４５側から動作確認信号が帰還入力されたか否かを認識して熱源側の制御装置２６に入力するコンパレータ３２とを有している。
【００４２】
また、提示部４５は、入力ポート５０Ａと出力ポート５０Ｂとを接続する帰還ループ５１と、この帰還ループ５１の途中に設けられて端末側の制御装置４６により開閉制御される開閉スイッチ５２とを有している。例えば、この開閉スイッチ５２は、ノーマリオープンタイプとされており、温水不要時に開放状態とされ、温水必要時に閉止状態とされる。
【００４３】
そして、この実施形態では、熱源機１側に異常が発生した場合に、熱源機１の監視部２５から端末機２の提示部４５に対して入力させている動作確認信号を整形して、熱源機１側の異常を端末機２側へ通達させるようにしていることに特徴がある。
【００４４】
具体的に、まず、熱源機１の監視部２５において出力ポート３０Ｂと電源３１との間には、信号整形回路３３が付加されている。
【００４５】
この信号整形回路３３は、必要に応じて電源３１から出力される一定電位の動作確認信号をパルス波形の渇水報知信号として整形するもので、トランジスタなどのスイッチング素子３４と、スイッチング素子３４に対して制御装置２６からの渇水報知用の制御信号を入力させるバッファ３５とを有している。
【００４６】
一方の端末機２の提示部４５において帰還ループ５１の途中には、ノイズフィルタ５３と、発光素子５４とが付加されており、端末機２の制御装置４６には、前述の発光素子５４とでフォトカプラ５５を構成する受光素子５６と、信号出力回路５７とが付加されている。なお、端末機２の入出力ポート５０Ａ，５０Ｂの間には、入出力ポート５０Ａ，５０Ｂに対して端末制御線４Ａ，４Ｂを間違って接続したときに、帰還ループ５１での信号の逆流を防止する保護用のダイオード５８が接続されている。
【００４７】
ノイズフィルタ５３は、入力ポート５０Ａから入力される信号からノイズを除去するものである。また、前述の発光素子５４は、発光ダイオードなどからなり、入力される信号の波形に応じて連続発光状態あるいは間欠発光状態となる。受光素子５６は、フォトトランジスタなどからなり、発光素子５４の発光時に導通状態となり非発光時に非導通状態となる。信号出力回路５７は、受光素子５６のオン・オフタイミングに応じた波形の信号を端末側の制御装置４６に対して出力するものである。
【００４８】
なお、前述したように提示部４５から制御装置４６への信号伝達をフォトカプラ５５を用いているのは、提示部４５と制御装置４６とを電気的に分離することによって端末機２の電気的動作を補償するためである。
【００４９】
次に、上述した本実施形態での空調システムの動作について説明する。
【００５０】
例えば、端末機２側において操作装置４３の暖房運転スイッチ（図示省略）がオン操作されると、制御装置４６が表示装置４４の運転ランプ（図示省略）を点灯するとともに、開閉スイッチ５２を閉止することにより、熱源機１側に温水供給が必要なことを提示する。
【００５１】
この開閉スイッチ５２が閉止状態とされることによって、熱源機１の監視部２５における電源３１から出力ポート３０Ｂを通じて端末機２の提示部４５に出力している一定電位の動作確認用の信号は、端末機２側の出力ポート５０Ａから端末制御線４Ｂを介して熱源機１側の入力ポート３０Ａのコンパレータ３２の一方入力端子に対して帰還入力されることになる。この状況では、監視部２５における信号整形回路３３のスイッチング素子３４は、常時オン動作されていて、図３（ａ）に示すように、一定電位の動作確認信号を端末機２の提示部４５へ出力させるようにしている。
【００５２】
これにより、熱源側の制御装置２６がコンパレータ３２の出力に基づいて端末機２側で温水供給が必要であると認識し、循環ポンプ２４および燃焼装置２１を駆動して所要温度（例えば８０℃）の温水を端末機２側へ連結管３を介して供給する。この温水供給を受けた端末機２側では、熱交換器４１により温水の熱を利用して暖房動作を行うことになる。
【００５３】
一方、端末機２側において操作装置４３の暖房運転スイッチ（図示省略）がオフ操作されると、制御装置４６が表示装置４４の運転ランプ（図示省略）を消灯するとともに、開閉スイッチ５２を開放することにより、熱源機１側に温水供給が不要なことを提示する。
【００５４】
この端末機２側の開閉スイッチ５２が開放状態とされることによって、熱源機１の監視部２５における電源３１から出力ポート３０Ｂを通じて端末機２側に出力している動作確認信号は、端末機２側の出力ポート５０Ａから端末制御線４Ｂを介して熱源機１側のコンパレータ３２の一方入力端子に対して帰還入力されなくなる。
【００５５】
そのため、熱源側の制御装置２６がコンパレータ３２の出力に基づいて端末機２側で温水供給が不要であると認識し、燃焼装置２１の駆動を停止する。これにより、端末機２側では、暖房動作を停止することになる。
【００５６】
ここで、暖房運転が行われている状況において、熱源機１の膨張タンク２３が渇水したまま、ユーザーにより補給されない場合についての動作を説明する。
【００５７】
前述した状況では、熱源側の制御装置２６が、水位センサ２７から出力される図３（ｂ）に示す渇水検知出力の入力により、膨張タンク２３が渇水して異常状態になったことを認識して、図３（ｃ）に示すように、燃焼装置２１の駆動を停止する。これと同時に、熱源側の制御装置２６は、信号整形回路３３のスイッチング素子３４を所要の周期でオン・オフ動作させることにより、電源３１から与えられる一定電位の動作確認信号を、図３（ａ）に示すように、パルス波形の渇水報知信号に整形して、出力ポート３０Ｂから端末機２側へ出力させる。
【００５８】
この端末機２側では、渇水報知信号の入力により、発光素子５４が間欠発光させられることになり、この発光素子５４の間欠発光タイミングに応じて受光素子５６が間欠的に導通状態と非導通状態とを繰り返すことになり、信号出力回路５７から端末側の制御装置４６に対して図３（ｄ）に示すパルス波形の渇水検知信号を出力することになる。これにより、制御装置４６は、熱源機１側で渇水による異常が発生していることを認識し、表示装置４４の運転ランプ（図示省略）を消灯する一方で、図３（ｆ）に示すように、表示装置４４の渇水報知ランプ（図示省略）を点灯することにより渇水状態であることを報知するとともに、暖房動作を停止する。
【００５９】
なお、膨張タンク２３に対して補水がされ、渇水状態が解消されると、監視部２５は、一定電位の動作確認信号を出力して、上述したように端末機２の温水要求を監視する。
【００６０】
以上説明したように、熱源機１側に渇水などの異常が発生した場合に、熱源機１側の異常を端末機２側へ通達して、端末機２の暖房動作を停止させるようにしているから、渇水が原因で端末機２の暖房動作が正常に行えなくなったときに、暖房動作を継続させずに即座に停止させるように対処できて、無駄な電力消費を阻止できるようになる。また、端末機２側で熱源機１の異常が原因であることをユーザーに対して報知できるようになるから、ユーザーは、暖房動作の異常発生の原因が熱源機１であると正確に把握できるようになり、熱源機側の異常に対する事後対処を正しく行えるようになるなど、従来例において発生していた無駄を無くせる結果となる。
【００６１】
しかも、前述した渇水異常の通達について熱源機１側から端末機２に対して入力させている一定電位の動作確認信号を、パルス波形の渇水報知信号に整形するようにしているだけであるから、従来例のように熱源機１と端末機２とに対してそれぞれ高価な送受信装置を装備させる必要がなく、設備コストの高騰を抑制できるようになる。
【００６２】
図４および図５に本発明の他の実施形態を示している。図４は、空調システムの概略構成図、図５は、図４の要部を詳細に示す図である。
【００６３】
この実施形態での空調システムは、ドライ運転が可能な温水式冷暖房機器からなる端末機２と、それに対応する熱源機１とから構成されている。
【００６４】
具体的に、この実施形態での端末機２は、上記実施形態での端末機２の構成に対して、冷媒を用いて熱交換する冷風発生用の熱交換器６０と、この熱交換器６０に対して冷媒を循環させる室外機６１とが付加されている。
【００６５】
なお、端末機２によるドライ運転では、熱源機１から比較的低温（例えば６０℃）の温水供給を受けるようにし、温風発生用の熱交換器４１と冷風発生用の熱交換器６０とによって、温度調整したドライ送風を行うようになっている。
【００６６】
そして、上記端末機２の提示部４５は、１つの入力ポート５０Ａと２つの出力ポート５０Ｂ，５０Ｃとを有する構成であり、これら入力ポート５０Ａと２つの出力ポート５０Ｂ，５０Ｃとが帰還ループ５１で並列に接続されているとともに、出力ポート５０Ｃに接続する帰還ループ５１に対してドライ運転に関連する温水要求提示用の開閉スイッチ６２が設けられた構成になっている。この開閉スイッチ６２は、上述した開閉スイッチ５２と同様、ノーマリオープンタイプとされており、温水不要時に開放状態とされ、温水必要時に閉止状態とされる。
【００６７】
一方、この実施形態での熱源機１は、上記実施形態での熱源機１の制御装置４４について、端末機２Ａの要求種別に応じて、燃焼装置２１で高温燃焼動作と低温燃焼動作とを選択的に行わせるようになっている。
【００６８】
しかも、熱源機１の監視部２５は、１つの出力ポート３０Ｂと２つの入力ポート３０Ａ，３０Ｃとを有する構成であり、入力ポート３０Ｃと制御装置２６との間にコンパレータ３６が設けられた構成になっている。このコンパレータ３６は、端末機２側でドライ運転のための温水要求が提示されているか否かを認識するものである。
【００６９】
このような熱源機１の監視部２５に装備されてある３つのポート３０Ａ〜３０Ｃと、端末機２の提示部４５に装備されてある３つのポート５０Ａ〜５０Ｃとが、３本のＥ−ＣＯＮ信号線と呼ばれる端末制御線４Ａ，４Ｂ，４Ｃで個別に接続されている。
【００７０】
この実施形態での空調システムでは、端末機２の暖房運転に関して上記実施形態と同様であるので、その説明を省略するが、端末機２のドライ運転について新規であるので、このドライ運転に関する動作を説明する。
【００７１】
まず、端末機２において操作装置４３のドライ運転スイッチ（図示省略）がユーザーによりオン操作されると、端末側の制御装置４６がドライ運転に関連する温水要求提示用の開閉スイッチ６２を閉止させる。このとき、暖房運転に関連する温水要求提示用の開閉スイッチ５２は開放状態のままにしておく。
【００７２】
この開閉スイッチ６２が閉止状態とされることによって、熱源機１の監視部２５における電源３１から出力ポート３０Ｂを通じて端末機２の提示部４５に出力している一定電位の動作確認信号は、端末機２側の出力ポート５０Ｃから端末制御線４Ｃを介して熱源機１側の入力ポート３０Ｃに接続されるコンパレータ３６の一方入力端子に対して帰還入力されることになる。
【００７３】
これにより、熱源側の制御装置２６がコンパレータ３６の出力に基づいて端末機２側でドライ運転のための温水供給が必要であると認識し、燃焼装置２１を低温燃焼動作させるように駆動して比較的低温（例えば６０℃）の温水を端末機２側へ連結管３を介して供給する。この温水供給を受けた端末機２側では、熱交換器４１により温風を発生する。この動作と並行して、端末機２側では、室外機６１を駆動して冷風発生用の熱交換器６０により冷風を発生する。この温風と冷風とによりドライ送風が行われることになる。
【００７４】
そして、このドライ運転の実行中において、熱源機１側の膨張タンク２３が渇水すると、上記実施形態と同様に、熱源側の制御装置２６が、膨張タンク２３の渇水異常を認識し、燃焼装置２１の駆動を停止する。これと同時に、熱源側の制御装置２６は、信号整形回路３３のスイッチング素子３４を所要の周期でオン・オフ動作させることにより、電源３１から与えられる一定電位の動作確認信号をパルス波形の渇水報知信号に整形して、出力ポート３０Ｂから端末機２側へ出力させる。
【００７５】
この端末機２側では、渇水報知信号の入力により、発光素子５４が間欠発光させられることになり、この発光素子５４の間欠発光タイミングに応じて受光素子５６が間欠的に導通状態と非導通状態とを繰り返すことになり、信号出力回路５７から端末側の制御装置４６に対して渇水検知信号が入力されることになる。これにより、制御装置４６は、熱源機１側で渇水による異常が発生していることを認識し、表示装置４４の運転ランプ（図示省略）を消灯する一方で、表示装置４４の渇水報知ランプ（図示省略）を点灯することにより渇水状態であることを報知するとともに、ドライ運転を停止するとともに、開閉スイッチ６２を開放状態として、熱源機１側に対して温水要求が不要であることを提示する。
【００７６】
なお、膨張タンク２３に対して補水がされ、渇水状態が解消されると、監視部２５は、一定電位の動作確認信号を出力して、上述したように端末機２の温水要求を監視する。
【００７７】
なお、本発明は上記説明した実施形態のみに限定されるものではなく、種々な応用や変形が考えられる。
（１）  上記実施形態では、熱源機１に対して単一の端末機２を接続した例を挙げているが、熱源機１に対して接続する端末機２の数は２つ以上とすることができる。この場合、上記熱源機１について、複数組の入出力ポート（３０Ａ，３０Ｂまたは３０Ａ〜３０Ｃ）を装備するとともに、各組の入出力ポート（３０Ａ，３０Ｂまたは３０Ａ〜３０Ｃ）間に上述したような監視部２５を装備させる必要がある。
（２）  上記実施形態では、熱源機１の膨張タンク２３が渇水したときに、熱源機１から端末機２に対して渇水異常を報知させるようにしているが、異常の形態については限定されるものではない。また、熱源機１において複数の異常が発生した場合に、すべての異常を端末機２に対して報知するようにもできる。その場合、例えば熱源機１の制御装置２６からの異常指令に応じて、一定電位の動作確認信号をパルス波形の異常報知信号に整形するときに、異常の形態個々に対応してデューティ比を適宜変えたパルス波形の異常報知信号とすることにより、複数の異常報知信号を作成することができる。
【００７８】
【発明の効果】
本発明では、熱源機側に熱媒体不足などの異常が発生した場合に、熱源機側の異常を端末機側へ通達して、端末機の熱交換動作を継続させずに停止させるように対処できるので、従来例のような無駄な電力消費を阻止できるようになる。
【００７９】
また、端末機の熱交換動作を停止させたときに、端末機側で熱源機の異常が原因であることをユーザーに対して報知できるようになるから、ユーザーは、熱交換動作の異常発生の原因が熱源機側であると正確に把握できるようになり、熱源機側の異常に対する事後対処を正しく行えるようになるなど、従来例において発生していた無駄を無くせる結果となる。
【００８０】
しかも、前述した熱媒体不足などの異常の通達について熱源機側から端末機に対して入力させている一定電位の動作確認信号を整形するようにしているだけであるから、従来例のように熱源機側と端末機側とに対してそれぞれ高価な送受信装置を装備させる必要がなく、設備コストの高騰を抑制できるようになる。
【図面の簡単な説明】
【図１】本発明の一実施形態に係る空調システムの概略構成図
【図２】図１の要部を詳細に示す図
【図３】図１の空調システムの動作説明に用いるタイミングチャート
【図４】本発明の他の実施形態に係る空調システムの概略構成図
【図５】図４の要部を詳細に示す図
【図６】従来例の空調システムの概略構成図
【符号の説明】
１      熱源機
２      端末機
３      連結管
４Ａ，４Ｂ    端末制御線
２１      熱源側の燃焼装置
２２      熱源側の熱交換器
２３      熱源側の膨張タンク
２４      循環ポンプ
２５      監視部
２６      熱源側の制御装置
３０Ａ    監視部の入力ポート
３０Ｂ    監視部の出力ポート
３１      監視部の電源
３２      監視部のコンパレータ
３３      監視部の信号整形回路
４１      端末側の熱交換器
４３      端末側の操作装置
４４      端末側の表示装置
４５      端末側の提示部
４６      端末側の制御装置
５０Ａ    提示部の入力ポート
５０Ｂ    提示部の出力ポート
５１      提示部の帰還ループ
５２      提示部の開閉スイッチ
５４      提示部の発光素子
５６      端末側の受光素子
５７      端末側の信号出力回路
【図１】
0004045698.tif 000002
【図２】
0004045698.tif 000003
【図３】
0004045698.tif 000004
【図４】
0004045698.tif 000005
【図５】
0004045698.tif 000006
【図６】
0004045698.tif 000007